(57)【特許請求の範囲】
【請求項１】
データ供給側から供給された記録すべきデータを記憶する主記憶手段と、
上記データの付帯情報を記憶する副記憶手段と、
上記副記憶手段に記憶された付帯情報を検索する検索手段と、
上記検索手段による上記付帯情報の検索結果からデータを前記主記憶手段より選択する制御手段と、
上記データ供給側から記録すべきデータがデータ転送された際に、上記データ転送の動作に関連して上記データの絶対番地を発生する絶対番地発生手段と、
を有し、上記絶対番地発生手段で発生した絶対番地を上記副記憶手段に記憶するようにした信号処理装置において、
記録されたデータにつながるように記録を行う場合に、記録開始前の再生時のデータの絶対番地を上記副記憶手段に記憶するとともに、上記絶対番地発生手段に上記再生時のデータのうち最後の記録済みデータの絶対番地をロードする手段を具えたことを特徴とする信号処理装置。
【請求項２】
磁気テープ記録側から再生されたデータを記憶する主記憶手段と、
上記データの付帯情報を記憶する副記憶手段と、
上記副記憶手段に記憶された付帯情報を検索する検索手段と、
上記検索手段による上記付帯情報の検索結果からデータ供給側に供給するデータを前記主記憶手段から選択する制御手段とを具え、
再生時のデータの絶対番地を上記副記憶手段に記憶するとともに、特定の上記再生時のデータの絶対番地を必要に応じてデータ供給側に通知するようにしたことを特徴とする信号処理装置。
【発明の詳細な説明】
【０００１】
【産業上の利用分野】
本発明は、例えばデータレコーダに使用して好適な信号処理装置に関する。
【０００２】
【従来の技術】
従来、ホストコンピュータ等の上位装置からの指令を解読し、データの存在する間はテープの走行を止めることなく、上位装置の内部メモリのデータを一括して記録および再生を行う、いわゆるストリーマーなどの磁気記録装置では磁気テープの長手方向にデータファイルの絶対位置を示すファイルマーク等の記録を行って、データの位置の対応をとって、その位置を上位装置で管理していた。従って、磁気記録装置が単体で記録されたデータをアクセスしてコントロールするものはなかった。
【０００３】
この場合、磁気テープへの記録再生レートが遅い場合や、磁気テープのアクセスタイムが早い場合には、上位装置を待たせる場合がないため、大容量のバッファメモリを設ける必要がなかった。また、最近、ヘリカルスキャンの磁気記録装置を使用したデータレコーダの場合には、不連続なバースト状に送られてくるデータを連続データに変換するためのバッファメモリを搭載したものが使用されている。このような磁気記録装置では、比較的小容量のバッファメモリ内に記憶されたデータを検索しても、検索の範囲が限られるので、現実的ではなく、検索の必要性もなかった。
【０００４】
【発明が解決しようとする課題】
しかし、上述した磁気記録装置では、テープ上にファイル毎に記録されるファイルマークを高速に検出する機構を設けているものはあるが、磁気記録装置が単体でバッファメモリ内のデータを高速に検出する機構を設けているものはなかった。また、高速の磁気記録装置では、大量のデータを処理するために、バッファメモリの容量も大きくなるため、データ検索の際の検索の範囲が広がるので、バッファメモリ内のデータを検索して、所望のデータを取り出す必要性がでてきた。
【０００５】
本発明はかかる点に鑑みてなされたもので、高速の磁気記録装置にデータを記録する場合に、バッファメモリ内のデータを高速で検索できる信号処理装置を提供することを目的とするものである。
【０００６】
【課題を解決するための手段】
本発明の信号処理装置３０は例えば図１に示す如く、データ供給側１から供給された記録すべきデータを記憶する主記憶手段５と、データの付帯情報を記憶する副記憶手段３と、副記憶手段３に記憶された付帯情報を検索する検索手段４と、検索手段４による付帯情報の検索結果からデータを主記憶手段５より選択する制御手段２４と、データ供給側から記録すべきデータがデータ転送された際に、データ転送の動作に関連してデータの絶対番地を発生する絶対番地発生手段と、を有し、絶対番地発生手段で発生した絶対番地を副記憶手段３に記憶するようにした信号処理装置において、記録されたデータにつながるように記録を行う場合に、記録開始前の再生時のデータの絶対番地を副記憶手段３に記憶するとともに、絶対番地発生手段に再生時のデータのうち最後の記録済みデータの絶対番地をロードする手段を具えたものである。
【０００７】
また、本発明の信号処理装置３０は例えば図1に示す如く、磁気記録側２３から再生されたデータを記憶する主記憶手段５と、データの付帯情報とを記憶する副記憶手段３と、副記憶手段３に記憶された付帯情報を検索する検索手段４と、検索手段４による付帯情報の検索結果からデータ供給側１に供給するデータを主記憶手段５から選択する制御手段２４とを具え、再生時のデータの絶対番地を副記憶手段に記憶するとともに、特定の再生時のデータの絶対番地を必要に応じてデータ供給側に通知するようにしたものである。
【００１０】
【作用】
上述せる本発明によれば、データ供給側１から供給された記録すべきデータを記憶する主記憶手段５と、データの付帯情報を記憶する副記憶手段３と、副記憶手段３に記憶された付帯情報を検索する検索手段４と、検索手段４による付帯情報の検索結果からデータを主記憶手段５より選択する制御手段２４と、データ供給側から記録すべきデータがデータ転送された際に、データ転送の動作に関連してデータの絶対番地を発生する絶対番地発生手段と、を有し、絶対番地発生手段で発生した絶対番地を副記憶手段３に記憶するようにした信号処理装置において、記録されたデータにつながるように記録を行う場合に、記録開始前の再生時のデータの絶対番地を副記憶手段３に記憶するとともに、絶対番地発生手段に再生時のデータのうち最後の記録済みデータの絶対番地をロードする手段を具えたので、データを記録する際に、データの付帯情報を記憶して、この付帯情報からこれに対応するデータを高速に検索して、データ供給側１へ供給することができる。
【００１１】
また、上述せる本発明によれば、磁気記録側２３から再生されたデータを記憶する主記憶手段５と、データの付帯情報とを記憶する副記憶手段３と、副記憶手段３に記憶された付帯情報を検索する検索手段４と、検索手段４による付帯情報の検索結果からデータ供給側１に供給するデータを主記憶手段５から選択する制御手段２４とを具え、再生時のデータの絶対番地を副記憶手段に記憶するとともに、特定の再生時のデータの絶対番地を必要に応じてデータ供給側に通知するようにしたので、データを再生する際に、データの付帯情報を記憶して、この付帯情報からこれに対応するデータを高速に検索して、データ供給側１へ供給することができる。
【００１４】
【実施例】
以下に、図１乃至図２を参照して本発明の信号処理装置の一実施例について詳細に説明する。この信号処理装置３０は、上位装置としてのホストコンピュータのホストインタフェースコントローラ１と下位装置としてのデータレコーダ２３との間に入り、ホストコンピュータからデータ転送されてくるデータをＡＮＳＩ（Ａｍｅｒｉｃａｎ  Ｎａｔｉｏｎａｌ  Ｓｔａｎｄａｒｄｓ  Ｉｎｓｔｉｔｕｔｅ  ：米国国家規格協会）で規格された磁気記録のフォーマットであるＤＤ−１フォーマットに変換する装置である。
【００１５】
この装置では、ＤＤ−１フォーマットで規定されているパディングデータ、サブコードの付加、エラー訂正コードの付加を行うと共に、データレコーダのコントロールを行うものである。また、データレコーダのサイクルタイム（記録再生を一時中断し、再度記録再生を行うまでの時間）が大きい場合、そのサイクルタイム中、ホストコンピュータを待たせることがないように、ハードディスク程度の大容量のバッファメモリを搭載している。
【００１６】
この信号処理装置３０は、図１に示すように構成されている。まず記録時においては、ホストインタフェースコントローラ１は、信号処理装置３０へ３２キロバイト単位のパケットでデータ転送を行う。各パケットの先頭には、ヘッダー情報が設けられており、そのパケットの有効データ数、属性等が格納されている。
【００１７】
ホストインタフェースコントローラ１から転送されるユーザデータ、ヘッダー情報は３２ビット構成となっているが、エラー訂正符号化器２の内部で一度６４ビットバスに変換してエラー訂正符号の付加を行っている。つまり、６４ビットのデータに対して８ビットのエラー訂正符号を付加して１ビット訂正を行うことができ、エラー訂正符号化器２によるエラー訂正符号の付加のためのメモリを少なくすることができる。従って、３２ビットのデータを６４ビットに変換した後に、８ビットのエラー訂正符号を付加して７２ビットとし、これを逆変換して３６ビットとしている。
【００１８】
また、ヘッダー情報は別系統のヘッダーメモリ３に蓄えられ、メモリコントローラ４からどのような情報がメインメモリ５内に蓄えられているかを検索できるようになっている。また、このときユーザデータの各桁の合計を用いてユーザデータの転送誤りの検出をチェックサム６で計算して、ヘッダー情報と共にヘッダーメモリ３に蓄えられるようにする。
【００１９】
メインメモリ５は、ＦＩＦＯ７、８と共に大容量で高速のデュアルポートメモリを構成するため、ＤＲＡＭを高速ページモードで動作させている。ここで、高速ページモードは特定のクロックで自走しているため、ＤＲＡＭで使用しているクロックと外部クロックとのレイトバッファリングを行うために、ＤＲＡＭの前段および後段にＦＩＦＯメモリ７、８を設けるようにしている。
【００２０】
メインメモリ５の記録状況はメモリコントローラ４に伝えられ、バッファフルになったら、ホストインタフェースコントローラ１側の転送を止める処理を行い、バッファエンプティになったらデータレコーダ２３への転送を止める処理を行う。ＤＩＴメモリ９は、通常の記録時はメモリコントローラ４に接続されており、テープマークを書き込んだときのＤＤ−１フォーマットのＤＩＴ情報のアップデイト等が行われる。
【００２１】
サブコードコントローラ１０はヘッダーメモリ３から次のテープＩＤにサブコード付加器１１によりサブコード付加を行う可能性があるユーザデータに対するヘッダー情報を読み込み、どのようなトラックにするかを決定する。このとき１ＩＤは４トラックに相当するものとする。次のトラック構成を決定したら、その情報をパケットコントローラ１２に書き込み、パケットコントローラ１２は、その情報から次のテープＩＤのトラック構成に合わせて、ユーザデータをメインメモリ５から読み込んだり、パディング１ジェネレータ１３によりパディングデータを発生したりする。
【００２２】
記録するデータは、通常１６ＩＤバッファ１４に蓄えられると共に、ヘッダーの情報よりサブコードコントローラ１０によって作成されたサブコードがサブコード付加器１１により付加され、後段の１ＩＤバッファ１５に転送される。記録時にエラーが発見された場合、１６ＩＤバッファ１４に蓄えてあるデータを使用してライトリトライを行う。
【００２３】
１６ＩＤバッファ１４からの出力にサブコード付加器１１によりサブコードを付加するときに、ホストインタフェースコントローラ１から転送された際に計算されたチェックサム１６のデータを使用し、メインメモリ５から呼び出し、１ＩＤバッファ１５に書き込むデータがサブコードを付加しようとしているユーザデータであるか否かをチェックする。この段階で、ホストインタフェースコントローラ１から受け取ったときに付加したエラー訂正符号化器２により符号化されたエラー訂正符号をエラー訂正復号化器１７により復号化してエラー訂正を行う。つまりここでは、３６ビットのデータを変換して７２ビットとした後に、８ビットの付加されたエラー訂正符号を復号化して６４ビットとし、逆変換して３２ビットとしている。
【００２４】
１ＩＤバッファ１５から読み込まれたデータは、４系統のエラー訂正符号化器１８を使用して、ＤＤ−１フォーマットのＣ３エラー訂正符号化が行われ、ＤＤ−１フォーマットのシャフリングができるようにしてエラー訂正符号化されてシャフリングＲＡＭ１９に書き込まれる。シャフリングＲＡＭ１９から呼び出されたデータはパディングデータ２ジェネレータ２０によりＤＤ−１フォーマットのパディングデータ２を付加された後に、ＩＤ−１フォーマットのＤＲＶドライバー２２でデータレコーダ２３の入力形態と一致するように３２ビット／８ビット変換器２１により８ビットのパラレル信号に変換される。
【００２５】
また再生時においては、ＤＲＶレシーバ２２は、データレコーダ２３から送られてくるデータを、内部動作と同期を取るために、一旦ＦＩＦＯ７、８に蓄えた後に、内部処理を行う３２ビット信号に変換して、シャフリングＲＡＭ１９に書き込む。このとき、不用なパディングデータ２は捨てられる。
【００２６】
シャフリングＲＡＭ１９から、記録時において、４系統のエラー訂正符号化器１８側で行われたのと逆のシャフリングを行い、信号系列を元に戻した後に、４系統のエラー訂正復号化器１８を使用してエラー訂正符号の復号化を行い、１ＩＤバッファ１５にこの信号を書き込む。これらの処理は、記録時において、４系統のエラー訂正符号化器１８側で使用しているタイミングと同期して行うことにより、小規模のタイミング発生回路を用いて構成することができる。
【００２７】
１ＩＤバッファ１５から読みだされた信号のサブコード部分はサブコードコントローラ１０に送られてどのようなデータがテープから読み込まれたかが解析される。このとき、ユーザデータの転送誤りの検出をチェックサム１６により計算して、サブコードコントローラ１０に伝える。さらにこのとき、エラー訂正符号化器１７によりエラー訂正符号の符号化が行われて、ユーザデータは１６ＩＤバッファ１４に蓄えられる。エラー訂正符号化器１７により符号化されたエラー訂正符号はエラー訂正復号化器２により復号化してエラー訂正が行われる。
【００２８】
また、テープから読み込まれたデータは、いつ以前のデータに対するライトリトライが発生するか分からない。そこで、１６ＩＤバッファ１４に再生データを一度蓄えておき、１６ＩＤバッファ１４内にライトリトライが発生した場合には１６ＩＤバッファ１４内のデータを無効にするなどの処理を行う。
【００２９】
このようにして、１６ＩＤバッファ１４からの出力で有効データのみをパケットコントローラ１２に指示することにより、メインメモリ５に書き込む。このような処理によりメインメモリ５内にはいつも有効データのみが存在することになる。メインメモリ５内のデータを探す場合はメモリコントローラ４がヘッダーメモリ３をサーチして該当するデータがあるか否かを確認する。
【００３０】
メインメモリ５の読み込みの状況はメモリコントローラ４に伝えられ、バッファフルになったらデータレコーダ２３からのデータ転送を止める処理を行い、バッファエンプティになったらホストインタフェースコントローラ１側の転送を止める処理を行う。ＤＤ−１フォーマットＤＩＴを読み込むときには、メインメモリ５の代わりにＤＩＴメモリ９を使用し、この領域にＤＩＴ情報を蓄える。また、テープマークを探す場合、ヘッダーメモリ３を探してメインメモリ５内から発見できなかった場合、ＤＩＴメモリ９のエントリーを探して、テープ上のどのテープＩＤにあるかシステムコントローラ２４に報告する。
【００３１】
ホストインタフェースコントローラ１からのデータ転送要求により、ヘッダーメモリ３からヘッダー情報を取り出した後に、メインメモリ５からのユーザデータを合成して、ホストインタフェースコントローラ１にデータを転送する。
【００３２】
このような信号処理装置３０において、メインメモリ５内のデータの検索を高速に行うために、ホストインタフェースコントローラ１からデータが転送された時点で、データ転送のブロック単位でアブソリュートブロックナンバーを付与するアブソリュートブロックナンバージェネレータ２５を設ける。
【００３３】
このような信号処理装置は以下のような動作をする。まず記録時の動作として、ホストインタフェースコントローラ１からのデータはヘッダー情報を含むパケット単位で送られてくる。ヘッダー情報には、そのパケットに含まれるデータ数、そのパケットの属性、つまり、ユーザデータ、テープマーク等およびそのパケットがブロックの始まりであるか否かを示す情報が含まれている。
【００３４】
このヘッダー情報を調べることによりブロックの切れ目が分かるため、テープの先頭から連続的につけられる絶対番地であるアブソリュートナンバーは、テープがローディングされたときに「−１」をセットして、ヘッダーのブロック開始フラグが立っていた場合に、カウントアップするアブソリュートブロックナンバージェネレータ２５を動作することにより行われる。
【００３５】
また、記録されたデータの途中または最後に記録した部分につながるように記録を行う場合、図２に示すように、記録後に残す最後の記録済みデータのアブソリュートブロックナンバー「Ｎ」をアブソリュートブロックナンバージェネレータ２５にロードすることにより簡単にアブソリュートブロックナンバー「Ｎ」を作成することができる。これにより、アブソリュートブロックナンバー「Ｎ＋１」から新しい記録を連続して行うことができる。
【００３６】
このようにして、アブソリュートブロックナンバージェネレータ２５により作成されたアブソリュートブロックナンバーは他のヘッダー情報と共にヘッダーメモリ３に蓄えられる。このように、ヘッダーメモリ３上に、メインメモリ５上のデータのアブソリュートブロックナンバーおよびデータの付帯情報が格納されるため、故障等の理由により信号処理装置３０内のデータをホストコンピュータに戻す必要がある場合には、ホストコンピュータがメインメモリ５内のデータをホストコンピュータに転送するように要求を出してきた場合においても、すべてのデータを順番に転送することなく、アブソリュートブロックナンバーを使用して、そのデータブロックのみを転送させることができる。
【００３７】
この機能は、特に、アブソリュートブロックナンバーを使用してデータを管理できる場合に有効である。記録はすべて、テープの最初から行うような処理を行う場合は、ホストコンピュータ側も内部でカウントアップするアブソリュートブロックナンバージェネレータを持つことにより、信号処理装置３０内部で使用しているアブソリュートブロックナンバーと同じ番号を特定のデータに付与することができ、このアブソリュートブロックナンバーを使用してデータの検索を行うことができる。
【００３８】
しかし、記録済みテープの途中から再度記録したい場合など、記録済みテープ上の特定データのアブソリュートブロックナンバーは信号処理装置３０にしか分からない場合がある。このような場合、特定なデータのアブソリュートブロックナンバーをホストコンピュータ側に伝える機能を設けることにより、ホストコンピュータ側と信号処理装置３０側とのアブソリュートブロックナンバーが同期し、このアブソリュートブロックナンバーを利用したデータの検索を行うことができる。
【００３９】
また、再生時の動作としては、テープから再生されたデータは、メインメモリ５に、サブコードはサブコードコントローラ１０によりヘッダー情報とアブソリュートブロックナンバーに展開されて、ヘッダーメモリ３に格納される。
【００４０】
ホストコンピュータ側が特定のデータが欲しい場合、どのアブソリュートブロックナンバーのデータが欲しいかということをホストコンピュータが信号処理装置３０に伝え、メモリコントローラ４がアブソリュートブロックナンバーを鍵にして、ヘッダーメモリ３内の検索を行い、ヘッダーメモリ３内に該当するデータが存在すれば、メインメモリ５をコントロールするカウンター２６の値を該当するデータの位置に位置付ける。
【００４１】
このような処理を行うことにより、ホストコンピュータは希望するアブソリュートブロックナンバーに対応するデータを得ることができる。特に、ホストコンピュータ側が記録時に重要なデータがどのアブソリュートブロックナンバーに対応しているかという情報を保存しておけば、その情報を取り出すために保存してあるアブソリュートブロックナンバーを指定するだけでよい。
【００４２】
これにより、記録時または再生時共にホストコンピュータは信号処理装置３０のメインメモリ５に蓄えられている任意のデータを素早く検索することができる。
【００４３】
上例によれば、ホストインタフェースコントローラ１から供給された記録すべきデータを記憶するメインメモリ５と、データの付帯情報を記憶するヘッダーメモリ３と、ヘッダーメモリ３に記憶された付帯情報を検索するメモリコントローラ４と、メモリコントローラ４による付帯情報の検索結果からデータを選択して制御するシステムコントローラ２４を設けたので、データを記録する際に、データの付帯情報を記憶して、この付帯情報から高速にデータを検索して、ホストインタフェースコントローラ１へ供給することができる。
【００４４】
また、上例によれば、データレコーダ２３から再生されたデータを記憶するメインメモリ５と、データの付帯情報とを記憶するヘッダーメモリ３と、付帯情報を検索するメモリコントローラ４と、メモリコントローラ４による付帯情報の検索結果からホストインタフェースコントローラ１に供給するデータを選択して制御するシステムコントローラ２４とを設けたので、データを再生する際に、データの付帯情報を記憶して、この付帯情報から高速にデータを検索して、ホストインタフェースコントローラ１へ供給することができる。
【００４５】
また、上例によれば、ホストインタフェースコントローラ１から記録すべきデータがデータ転送された際に、データ転送の動作に関連してデータの絶対番地を発生するアブソリュートブロックナンバージェネレータ２５を設け、アブソリュートブロックナンバージェネレータ２５で発生した絶対番地をヘッダーメモリ３に記憶するようにしたので、データを記録する際に、記録すべきデータにデータ転送の動作に関連した絶対番地を付与して、この絶対番地に基づいてデータを高速に検索してホストインタフェースコントローラ１へ供給することにより、一度記録されたデータの途中またはデータの最後につながるように記録することができる。
【００４６】
また、上例によれば、再生時のデータの絶対番地をヘッダーメモリ３に記憶するようにしたので、データを再生する際に、メモリコントローラ４がヘッダーメモリ３に記憶された絶対番地に基づいてメインメモリ５を検索してホストインタフェースコントローラ１へデータを供給することができる。
【００４７】
また、上例では、ホストコンピュータのホストインタフェースコントローラ１から信号処理装置３０へのデータ転送のブロック単位で、アブソリュートブロックナンバーを発生させる例を示したが、データ転送のプロトコルによっては、転送されるデータがシリアル状であっても、一定のライトサイクル単位あるいは一定のメモリー容量単位で発生させるようにしても良く、データ転送の動作に関連してアブソリュートブロックナンバーを発生させるものであれば良い。
【００４８】
また、上例では、ホストコンピュータのホストインタフェースコントローラ１から信号処理装置３０へのデータ転送のブロックを指定して転送する例を示したが、信号処理装置３０からホストインタフェースコントローラ１へデータを転送する際にも適用される。
【００４９】
尚、上述の実施例は本発明の一例であり、本発明の要旨を逸脱しない範囲でその他様々な構成が取り得ることは勿論である。
【００５０】
【発明の効果】
上述せる本発明によれば、データ供給側から供給された記録すべきデータを記憶する主記憶手段と、データの付帯情報を記憶する副記憶手段と、副記憶手段に記憶された付帯情報を検索する検索手段と、検索手段による付帯情報の検索結果からデータを主記憶手段より選択する制御手段と、データ供給側から記録すべきデータがデータ転送された際に、データ転送の動作に関連してデータの絶対番地を発生する絶対番地発生手段と、を有し、絶対番地発生手段で発生した絶対番地を副記憶手段に記憶するようにした信号処理装置において、記録されたデータにつながるように記録を行う場合に、記録開始前の再生時のデータの絶対番地を副記憶手段に記憶するとともに、絶対番地発生手段に再生時のデータのうち最後の記録済みデータの絶対番地をロードする手段を具えたので、データを記録する際に、データの付帯情報を記憶して、この付帯情報に対応するデータを高速に検索して、データ供給側へ供給することができる。
また、上述せる本発明によれば、磁気記録側から再生されたデータを記憶する主記憶手段と、データの付帯情報とを記憶する副記憶手段と、付帯情報を検索する検索手段と、検索手段による副記憶手段に記憶された付帯情報の検索結果からデータ供給側に供給するデータを主記憶手段から選択する制御手段とを具え、再生時のデータの絶対番地を副記憶手段に記憶するとともに、特定の再生時のデータの絶対番地を必要に応じてデータ供給側に通知するようにしたので、データを再生する際に、データの付帯情報を記憶して、この付帯情報に対応するデータを高速に検索して、データ供給側へ供給することができる。
【図面の簡単な説明】
【図１】本発明の信号処理装置の一実施例のブロック図である。
【図２】本発明の信号処理装置の一実施例の作用を説明する図である。
【符号の説明】
１  ホストインタフェースコントローラ
２  エラー訂正符号化器および復号化器
３  ヘッダーメモリ
４  メモリコントローラ
５  メインメモリ
６  チェックサム
７  ＦＩＦＯ
８  ＦＩＦＯ
９  ＤＩＴメモリ
１０  サブコードコントローラ
１１  サブコード付加器
１２  パケットコントローラ
１３  パディング１ジェネレータ
１４  １６ＩＤバッファ
１５  １ＩＤバッファ
１６  チェックサム
１７  エラー訂正復号化器および符号化器
１８  ４系統のエラー訂正符号化器および復号化器
１９  シャフリングＲＡＭ
２０  パディング１ジェネレータ
２１  ３２ビット／８ビット変換器
２２  ＤＲＶドライバー／レシーバー
２３  データレコーダ
２４  システムコントローラ
２５  アブソリュートブロックナンバージェネレータ
２６  カウンター
２７  カウンター
２８  カウンター
２９  シンク、クロックジェネレータ
３０  信号処理装置
【図１】
0003552246.tif 000002
【図２】
0003552246.tif 000003